(57)【要約】【課題】高度な改竄防止効果を有すると共に、コンパクトで経済的な包装形態とすることができる包装箱を提供する。【解決手段】周壁５は、正面板１の裏面側に裏正面板４が貼り合わされて、正面側が複層となった構成とされ、正面板１には、背面板３から延びる外フラップ７の先端の封止片８に対応した形状の切欠部９が形成され、裏正面板４には、切欠部９に対応した部分を切取部１０として区画する切目線１１が入れられたものとする。封緘状態では、封止片８が切欠部９に嵌まり込むように切取部１０の表面に貼り着けられ、封止片８と切欠部９の端縁が狭い間隔で向き合って、正面板１と封止片８の表面が同一平面をなし、封止片８と切取部１０の接着部ａにカッターナイフ等の刃が容易に差し込めないようにする。開封する際には、封止片８を押し込んで切目線１１を切断する。【選択図】図１
2020192995.tif 000002
【特許請求の範囲】
【請求項１】
正面板(1)、一対の側面板(2)及び背面板(3)が連設されて角筒状の周壁(5)が形成され、
前記一対の側面板(2)から延びる内フラップ(6)に、前記背面板(3)から延びる外フラップ(7)が重ね合わされ、前記外フラップ(7)の先端から延びる封止片(8)が前記周壁(5)の正面側に貼り着けられて封緘される包装箱において、
前記周壁(5)は、前記正面板(1)の裏面側に裏正面板(4)が貼り合わされて、正面側が複層となった構成とされ、
前記正面板(1)には、前記封止片(8)に端縁が対応した形状の切欠部(9)が形成され、前記裏正面板(4)には、前記正面板(1)の切欠部(9)に対応した部分を切取部(10)として区画する切目線(11)が入れられ、
封緘状態では、前記封止片(8)が前記正面板(1)の切欠部(9)に嵌まり込むように前記裏正面板(4)の切取部(10)の表面に貼り着けられ、
開封する際、前記封止片(8)を押し込むと、前記裏正面板(4)の切目線(11)が切断され、前記封止片(8)と前記切取部(10)とが貼り合わされた状態で、前記切取部(10)が前記裏正面板(4)から分離し、前記外フラップ(7)及び前記内フラップ(6)が開放可能となることを特徴とする包装箱。
【請求項２】
前記裏正面板(4)には、端縁から離れて、前記切取部(10)に向き合う再封片(12)が形成されるように切目線(13)が入れられ、
封緘状態では、前記封止片(8)の先端部が前記再封片(12)の表面に被さり、
開封した後、前記封止片(8)の先端部を前記再封片(12)の裏面側に差し込んで係合させると、再封緘状態となることを特徴とする請求項１に記載の包装箱。
【発明の詳細な説明】
【技術分野】
【０００１】
この発明は、改竄を防止するための構造を備えた包装箱に関するものである。
【背景技術】
【０００２】
医薬品等の包装箱として、図１３に示すように、連設された正面板５１、一対の側面板５２及び背面板５３が角筒状に折り曲げられて周壁５４が形成され、側面板５２から延びる内フラップ５５に、背面板５３から延びる外フラップ５６が重ねられ、外フラップ５６の先端の封止片５７が正面板５１の裏側に差し込まれる形式のものが使用されている。
【０００３】
この包装箱の場合、正面板５１には、端縁に臨む部分を切取部５８として区画するミシン目状の切目線５９が入れられ、切取部５８の範囲内の接着部ａにおいて、封止片５７が切取部５８の裏面にホットメルト接着剤等で貼り着けられて封緘される。
【０００４】
一方、この包装箱を開封する際には、切取部５８を押し込んで、切目線５９を切断し、封止片５７と切取部５８とが貼り合わされた状態で、切取部５８を正面板５１から分離する。これにより、外フラップ５６と一対の内フラップ５５とが開放可能となる。
【０００５】
また、図１４に示すように、周壁６０の開口側に重なり合う内フラップ６１及び外フラップ６２を備えた包装箱において、内フラップ６１のスリット６１ａに外フラップ６２から延びる差込片６３の張出部６３ａを屈曲させて差し込み、張出部６３ａが反発で復元することにより、スリット６１ａから差込片６３が抜け止めされて、封緘状態が維持されるものも知られている（下記特許文献１参照）。
【先行技術文献】
【特許文献】
【０００６】
【特許文献１】特開２００３−２６１４６号公報
【発明の概要】
【発明が解決しようとする課題】
【０００７】
しかしながら、図１３に示すような包装箱では、封緘状態において、正面板５１の切取部５８と封止片５７の間に容易にカッターナイフ等の刃を差し込むことができるので、接着部ａを切り分けて、不正に開封することができる。
【０００８】
そして、異物混入や内容物の差し替え等の改竄を行った後、接着部ａに接着剤を塗布して、元通りに封緘することができるので、医薬品等の安全性が損なわれる恐れがある。
【０００９】
また、図１４に示すような包装箱では、箱内に収納した商品に差込片６３が衝突しないように、相当な空間を設けておく必要があり、箱内での商品の移動を規制できなくなるほか、箱が大型化して資材や輸送に要するコストが増大するという問題もある。
【００１０】
そこで、この発明は、高度な改竄防止効果を有すると共に、コンパクトで経済的な包装形態とすることができる包装箱を提供しようとするものである。
【課題を解決するための手段】
【００１１】
上記課題を解決するため、この発明は、正面板、一対の側面板及び背面板が連設されて角筒状の周壁が形成され、
前記一対の側面板から延びる内フラップに、前記背面板から延びる外フラップが重ね合わされ、前記外フラップの先端から延びる封止片が前記周壁の正面側に貼り着けられて封緘される包装箱において、
前記周壁は、前記正面板の裏面側に裏正面板が貼り合わされて、正面側が複層となった構成とされ、
前記正面板には、前記封止片に端縁が対応した形状の切欠部が形成され、前記裏正面板には、前記正面板の切欠部に対応した部分を切取部として区画する切目線が入れられ、
封緘状態では、前記封止片が前記正面板の切欠部に嵌まり込むように前記裏正面板の切取部の表面に貼り着けられ、
開封する際、前記封止片を押し込むと、前記裏正面板の切目線が切断され、前記封止片と前記切取部とが貼り合わされた状態で、前記切取部が前記裏正面板から分離し、前記外フラップ及び前記内フラップが開放可能となるものとしたのである。
【００１２】
また、このような構成を有する包装箱において、一度に使い切らない薬剤の保管時等における利便性を考慮し、前記裏正面板には、端縁から離れて、前記切取部に向き合う再封片が形成されるように切目線が入れられ、
封緘状態では、前記封止片の先端部が前記再封片の表面に被さり、
開封した後、前記封止片の先端部を前記再封片の裏面側に差し込んで係合させると、再封緘状態となるものとしたのである。
【発明の効果】
【００１３】
この発明に係る包装箱では、封緘状態で、外フラップの先端から延びる封止片が正面板の切欠部に嵌まり込み、封止片と切欠部の端縁が狭い間隔で向き合って、正面板と封止片の表面が同一平面をなすので、封止片と裏正面板の切取部の接着部にカッターナイフ等の刃を容易に差し込むことができず、商品である医薬品等の安全性が確保される。
【００１４】
また、箱内に封緘用の空間を設けておく必要がなく、商品の箱内での移動を規制でき、箱をコンパクト化して資材や輸送に要するコストを抑制できる。
【００１５】
また、裏正面板に再封片を形成しておくと、一度に使い切らない薬剤等を保管しておく際、外フラップと内フラップを閉じた状態に保持できるので、箱内への塵埃の侵入を防止でき、反発で立ち上がった外フラップや内フラップが煩わしく感じられることもない。
【図面の簡単な説明】
【００１６】
【図１】この発明に係る再封緘機能のない包装箱の封緘状態を示す斜視図
【図２】同上の不正開封が試みられた状態を示す斜視図
【図３】同上の正規の開封状態を示す斜視図
【図４】同上の包装箱のブランクを示す図
【図５】この発明に係る再封緘機能を有する包装箱の封緘状態を示す斜視図
【図６】同上の不正開封が試みられた状態を示す斜視図
【図７】同上の正規の開封状態を示す斜視図
【図８】同上の再封緘状態を示す斜視図
【図９】同上の包装箱のブランクを示す図
【図１０】この発明に係る再封緘機能のない他の包装箱の（１０Ａ）封緘状態を示す斜視図、（１０Ｂ）正規の開封状態を示す斜視図
【図１１】この発明に係る再封緘機能のない他の包装箱の（１１Ａ）封緘状態を示す斜視図、（１１Ｂ）正規の開封状態を示す斜視図
【図１２】この発明に係る再封緘機能を有する他の包装箱の（１２Ａ）封緘状態を示す斜視図、（１２Ｂ）正規の開封状態を示す斜視図
【図１３】従来の一般的な医薬品等の包装箱の封緘状態を示す斜視図
【図１４】特許文献１に記載の包装箱の封緘過程を示す斜視図
【発明を実施するための形態】
【００１７】
以下、この発明の実施形態を添付図面に基づいて説明する。
【００１８】
図１乃至図４に示す包装箱は、再封緘機能のない形態であり、図４に示す板紙製のブランクから組み立てられる。
【００１９】
図４に示すブランクにおいて、正面板１の一側には、一方の側面板２、背面板３、他方の側面板２及び裏正面板４が順次連設され、これらの部分が組立状態で周壁５を形成する部分となる。また、一対の側面板２の上端及び下端には内フラップ６が連設され、背面板３の上端及び下端には外フラップ７が連設されている。
【００２０】
外フラップ７の先端には、中央寄り部分から三角形状に突出する封止片８が連設されている。外フラップ７と封止片８の境界の罫線は、切目が断続するものとされ、封止片８の先端縁は丸味を帯びている。
【００２１】
正面板１の上部及び下部には、封止片８の端縁の形状に対応して、谷部が丸味を帯びるように三角形状に凹入した切欠部９が形成されている。
【００２２】
また、裏正面板４の上部及び下部には、組立状態で正面板１の切欠部９に対応する部分を切取部１０として区画する切目線１１が入れられている。切目線１１は、組立状態で切欠部９の端縁にほぼ沿う線上に位置し、複数の繋部を有するミシン目とされている。
【００２３】
このようなブランクを組み立てて医薬品等の商品を包装するには、図１に示すように、正面板１、一対の側面板２及び背面板３を稜部の罫線沿いに折り曲げ、正面板１の裏面側に裏正面板４を重ねるように折り曲げて貼り合わせ、正面側が複層となった角筒状の周壁５を形成する。
【００２４】
次に、箱内に商品を収納すると共に、上部及び下部の各一対の内フラップ６を内側へ折り曲げ、内フラップ６に外フラップ７を重ね合わせる。
【００２５】
その後、封止片８を正面板１の切欠部９を介して裏正面板４の切取部１０の表面に折り重ね、接着部ａに塗布したホットメルト接着剤等により、封止片８と切取部１０とを貼り合わせると、周壁５の開口部が閉止された封緘状態となる。
【００２６】
この封緘状態では、図２に示すように、封止片８が切欠部９に嵌まり込み、封止片８と切欠部９の端縁が狭い間隔で向き合って、正面板１と封止片８の表面が同一平面をなすので、封止片８と裏正面板４の切取部１０の接着部ａにカッターナイフ等の刃を容易に差し込むことができない。
【００２７】
そして、無理に開封しようとすると、皺や破れが生じるため、目視で判別でき、不正開封による改竄行為を防止して、商品である医薬品等の安全性を確保することができる。
【００２８】
また、箱内に封緘用の空間を設けておく必要がなく、商品の箱内での移動を規制でき、箱をコンパクト化して資材や輸送に要するコストを抑制できる。
【００２９】
一方、この包装箱を正規に開封する際には、図１に示す封緘状態において、封止片８を押し込むと、切目線１１が切断され、図３に示すように、封止片８と切取部１０とが貼り合わされた状態で、切取部１０が裏正面板４から分離し、外フラップ７及び一対の内フラップ６が開放可能となり、商品の医薬品等を箱内から取り出すことができる。
【００３０】
次に、図５乃至図９に示す包装箱は、再封緘機能を有する形態であり、図９に示す板紙製のブランクから組み立てられる。このブランクの基本的な構成は、上記の再封緘機能のない実施形態と同様である。
【００３１】
図９に示すブランクにおいて、正面板１の一側には、一方の側面板２、背面板３、他方の側面板２及び裏正面板４が順次連設され、これらの部分が組立状態で周壁５を形成する部分となる。また、一対の側面板２の上端及び下端には内フラップ６が連設され、背面板３の上端及び下端には外フラップ７が連設されている。
【００３２】
外フラップ７の先端には、中央寄り部分から三角形状に突出する封止片８が連設されている。外フラップ７と封止片８の境界の罫線は、切目が断続するものとされ、封止片８の先端縁は丸味を帯びている。
【００３３】
正面板１の上部及び下部には、封止片８の端縁の形状に対応して、谷部が丸味を帯びるように三角形状に凹入した切欠部９が形成されている。
【００３４】
また、裏正面板４の上部及び下部には、組立状態で正面板１の切欠部９に対応する部分を切取部１０として区画する切目線１１が入れられている。切取部１０の両側縁をなす切目線１１は、組立状態で切欠部９の両側端縁に内側へ少し離れて平行するようにテーパー状に傾斜し、複数の繋部を有するミシン目とされている。
【００３５】
裏正面板４には、端縁から離れて、切取部１０に向き合う先窄まり形状の再封片１２が形成されるように、切目線１３が入れられている。再封片１２の基部には、再封緘時に再封片１２が撓んで、再封片１２の裏面側に封止片８の先端部を容易に差し込むことができるように、ミシン目状の折目線１４が入れられている。
【００３６】
このようなブランクを組み立てて医薬品等の商品を包装するには、図５に示すように、正面板１、一対の側面板２及び背面板３を稜部の罫線沿いに折り曲げ、正面板１の裏面側に裏正面板４を重ねるように折り曲げて貼り合わせ、正面側が複層となった角筒状の周壁５を形成する。
【００３７】
次に、箱内に商品を収納すると共に、上部及び下部の各一対の内フラップ６を内側へ折り曲げ、内フラップ６に外フラップ７を重ね合わせる。
【００３８】
その後、封止片８を正面板１の切欠部９を介して裏正面板４の切取部１０の表面に折り重ね、接着部ａに塗布したホットメルト接着剤等により、封止片８と切取部１０とを貼り合わせると、周壁５の開口部が閉止された封緘状態となる。このとき、封止片８の先端部が再封片１２の表面に被さった状態となる。
【００３９】
この封緘状態では、図６に示すように、封止片８が切欠部９に嵌まり込み、封止片８と切欠部９の端縁が狭い間隔で向き合って、正面板１と封止片８の表面が同一平面をなすので、封止片８と裏正面板４の切取部１０の接着部ａにカッターナイフ等の刃を容易に差し込むことができない。
【００４０】
そして、無理に開封しようとすると、皺や破れが生じるため、目視で判別でき、不正開封による改竄行為を防止して、商品である医薬品等の安全性を確保することができる。
【００４１】
また、箱内に封緘用の空間を設けておく必要がなく、商品の箱内での移動を規制でき、箱をコンパクト化して資材や輸送に要するコストを抑制できる。
【００４２】
一方、この包装箱を正規に開封する際には、図５に示す封緘状態において、封止片８を押し込むと、切目線１１が切断され、図７に示すように、封止片８と切取部１０とが貼り合わされた状態で、切取部１０が裏正面板４から分離し、外フラップ７及び一対の内フラップ６が開放可能となり、商品の医薬品等を箱内から取り出すことができる。
【００４３】
また、上記のように開封した後、一度に使い切らない薬剤等を保管しておく場合には、図８に示すように、封止片８の先端部を再封片１２の裏面側に差し込んで係合させる。これにより、再封緘状態となり、外フラップ７と内フラップ６を閉じた状態に保持できるので、箱内への塵埃の侵入を防止でき、反発で立ち上がった外フラップ７や内フラップ６が煩わしく感じられることもない。
【００４４】
なお、再封緘機能のない包装箱の他例として、図１０に示すように、封止片８は、外フラップ７の先端の全幅から延出され、基部から途中までテーパー状に幅が狭くなり、先端側が同一幅となる形状とし、切取部１０を封止片８に対応した形状としてもよい。
【００４５】
また、図１１に示すように、封止片８は、外フラップ７の先端の全幅から延出され、基部から先端までテーパー状に幅が狭くなる形状とし、切取部１０を封止片８に対応した形状としてもよい。
【００４６】
また、再封緘機能を有する包装箱の他例として、図１２に示すように、封止片８は、外フラップ７の先端の中央寄り部分から延出され、基部から先端付近まで同一幅となり、先端両角部が丸められた形状とし、再封片１２の先端縁を、切取部１０に向けて膨出する弧状としてもよい。
【００４７】
このように、上記のような改竄防止機能を備えた封緘部は、包装箱の大きさや用途等に応じて、様々なデザインを採用することができる。
【符号の説明】
【００４８】
１  正面板
２  側面板
３  背面板
４  裏正面板
５  周壁
６  内フラップ
７  外フラップ
８  封止片
９  切欠部
１０  切取部
１１  切目線
１２  再封片
１３  切目線
１４  折目線
【図１】
2020192995.tif 000003
【図２】
2020192995.tif 000004
【図３】
2020192995.tif 000005
【図４】
2020192995.tif 000006
【図５】
2020192995.tif 000007
【図６】
2020192995.tif 000008
【図７】
2020192995.tif 000009
【図８】
2020192995.tif 000010
【図９】
2020192995.tif 000011
【図１０】
2020192995.tif 000012
【図１１】
2020192995.tif 000013
【図１２】
2020192995.tif 000014
【図１３】
2020192995.tif 000015
【図１４】
2020192995.tif 000016